(57)【特許請求の範囲】
【請求項１】
液槽内の洗浄液に下半部を浸漬されて回転するワイピングローラの周面に洗浄ユニットを液中で対接させて凹版胴からワイピングローラに転移したインキを拭き取る印刷機のワイピング装置において、前記ワイピングローラの洗浄液よりも上流側でインキを凹版胴から拭き取った直後の位置で、前記インキを掻き取るプレドクタをレバー機構を介してワイピングローラに対し着脱自在でかつ刃先が常に一定圧となるように付勢して設けると共に、前記レバー機構は、液槽に枢支されて駆動用流体圧アクチュエータの作動ロッドが連結する下レバーと該下レバーに枢支されて前記プレドクタが取り付けられる上レバーとを有し、これら両レバー間に前記刃先付勢用のスプリングを介装してなることを特徴とする印刷機のワイピング装置。
【発明の詳細な説明】
【０００１】
【発明の属する技術分野】
本発明は、凹版印刷機等において版面に転移された余分のインキを拭き取るワイピング装置に関する。
【０００２】
【従来の技術】
一般に、凹版印刷機による印刷作業は、インキ装置によって凹版胴上の凹版面にインキを転移させ、この転移したインキのうちの絵柄部分以外の箇所に付着したインキを凹版面に対接して回転するワイピングローラで拭き取った後、凹版胴と圧胴との間を通過する紙に、残った絵柄部分のインキを転写させて印刷を施すものである。
【０００３】
そして、ワイピングローラは液槽内に入れた溶剤などの洗浄液に浸漬されて回転していると共に、液内のワイピングローラ周面にはその軸方向へ延びる複数個のブラシが対接されており、拭き取りによってワイピングローラに転移したインキは、このブラシと洗浄液との洗浄作用で取り除かれて洗浄液で溶解される。
【０００４】
図５に、従来のワイピング装置の断面図を示す。
これによれば、液槽１内には洗浄液２が蓄えられており、ワイピングローラ３は、この洗浄液２に下半部を浸漬して液槽１に回動自在に軸支されていると共に、凹版胴４に装着された凹版５に周面を対接させてこれと逆方向に回転している。
【０００５】
液槽１の左，右両側壁間には、アーム支軸６が回動自在に軸支され、このアーム支軸６には、左右一対の揺動アーム７が固定されている。これら揺動アーム７の遊端部にはワイピングローラ３よりもやや長いブラシ受支軸８が回動自在に軸支されている。
【０００６】
ブラシ受支軸８には、左右一対の円弧状のブラシ受９が固定され、これらブラシ受９間には前後一対のブラシ軸１０が支架されている。全体を符号１１で示すものは前後一対のメインブラシであって、各ブラシ軸１０の両端部に固定されたホルダ１２と、該ホルダ１２で両端を支持され毛先をワイピングローラ３の周面に近接させた複数列のブラシ１３とで形成されており、両方のメインブラシ１１のブラシ１３毛先とワイピングローラ３の周面との間には、合成繊維製不織布で形成されたワイパパッド１４がワイピングローラ３で全長にわたって介装されブラシ１３の側面にプレート１５とボルト１６とで固定されている。
【０００７】
このようにして支持されたメインブラシ１１には、ワイピングローラ３に対する圧力の調整装置が付設されている。即ち、前記アーム支軸６の下方には、ウォーム軸１７が、液槽１の側壁とこれに固定されたブラケット１８とに軸支されており、このウォーム軸１７上のウォーム１９は、アーム支軸６上に固定された扇形状のウォームホイール２０と噛合されている。ウォーム軸１７の外端にはハンドル２１が装着されており、これを回動操作することにより、ウォーム１９とウォームホイール２０とを介して揺動アーム７が揺動し、メインブラシ１１を覆うワイパパッド１４のワイピングローラ３への圧力が調節されるよう構成されている。
【０００８】
さらに、ワイピングローラ３の両側斜め下方には、それぞれ左右一対ずつの枢軸２２及び２３が液槽１の側壁に軸支されており、その内端にはブラシアーム２４及び２５が固定されている。このうち片側一対のブラシアーム２４に設けられた軸受部間には、ブラシ軸２６が回動自在に支架されている。このブラシ軸２６には、前記メインブラシ１１と同構成のプレブラシ２７が、これを覆う前記ワイパパッド１４と同構成のワイパパッド２８をワイピングローラ３の周面に対接させて固定されている。また、他方一対のブラシアーム２５に設けられた軸受部間には、ブラシ軸２９が回動自在に支架されており、このブラシ軸２９には、同じくワイパパッド３０を備えたプレブラシ２７と同構成のリヤブラシ３１が固定されている。
【０００９】
このようにして支持された両ブラシ２７，３１には、ワイピングローラ３に対する圧力の調整装置が付設されている。即ち、前記枢軸２２，２３の外端には、レバー３２，３３がそれぞれ軸着されており、各レバー３２，３３に枢着されたロッド３４，３５の他端ねじ部は、槽外の調整ねじ３６，３７に連繋されている。そして、これら調整ねじ３６，３７を軸方向への移動を規制しながら回動させることによりロッド３４，３５が進退し、レバー３２，３３とブラシアーム２４，２５とを介してプレブラシ２７とリヤブラシ３１とのワイピングローラ３への圧力がそれぞれ別個に調節されるように構成されている。尚、図中３８，３９及び４０は、それぞれメインブラシ１１，プレブラシ２７及びリヤブラシ３１の傾斜角度を調節する調節ボルトである。
【００１０】
また、図中４１は、液槽１の上面にハンドル４２付きのボルトで固定されたドクタであってその先端部には、先端をワイピングローラ３の周面に対接させてこれに付着した洗浄液２を掻き落とす鋼板製のドクターブレード４３が固定されている。
【００１１】
以上のように構成されたワイピング装置において、凹版胴４上の凹版５には、インキ装置によって凹溝状の絵柄部分とそれ以外の部分とにインキが転移され、絵柄部分以外のインキは、凹版胴４と反対方向へ回転するワイピングローラ３で拭き取られてその周面に付着する。ワイピングローラ３は、その下半部を洗浄液２内に浸漬されており、その浸漬部周面には、４個のブラシ２７，１１，１１及び３１を覆うワイパパッド２８，１４及び３０が対接しているので、ワイピングによりワイピングローラ３の周面に付着したインキは、各ワイパパッド２８，１４及び３０に滲透した洗浄液２の溶解作用とワイパパッド２８，１４及び３０の押圧作用とで取り除かれる。そして、インキが洗い落とされたワイピングローラ３は、洗浄液２のみを周面に付着させて持ち回るが、そこにはドクターブレード４３が設けられているので、持ち回りされた洗浄液はこれらで掻き落とされ、ワイピングローラ３はインキの拭き取り動作を続ける。
【００１２】
【発明が解決しようとする課題】
ところで、上述した従来のワイピング装置にあっては、凹版胴４からワイピングローラ３によって拭き取ったインキを、直接的に、各ワイパパッド２８，１４及び３０に滲透した洗浄液２の溶解作用とワイパパッド２８，１４及び３０の押圧作用とで取り除くようになっていたため、前記ワイパパッド２８，１４及び３０とメインブラシ１１，１１やプレ及びリヤブラシ２７，３１等からなる洗浄ユニットの寿命が短くなり、頻繁に洗浄ユニットを交換しなければならないことから、生産性が悪いと共に安定した品質を得ることが困難であるという問題点があった。
【００１３】
そこで、本発明の目的は、洗浄ユニットの寿命を延ばして生産性の向上が図れると共に安定した品質が得られる印刷機のワイピング装置を提供することにある。
【００１４】
【課題を解決するための手段】
前記目的を達成するために、本発明に係る印刷機のワイピング装置は、液槽内の洗浄液に下半部を浸漬されて回転するワイピングローラの周面に洗浄ユニットを液中で対接させて凹版胴からワイピングローラに転移したインキを拭き取る印刷機のワイピング装置において、前記ワイピングローラの洗浄液よりも上流側でインキを凹版胴から拭き取った直後の位置で、前記インキを掻き取るプレドクタをレバー機構を介してワイピングローラに対し着脱自在でかつ刃先が常に一定圧となるように付勢して設けると共に、前記レバー機構は、液槽に枢支されて駆動用流体圧アクチュエータの作動ロッドが連結する下レバーと該下レバーに枢支されて前記プレドクタが取り付けられる上レバーとを有し、これら両レバー間に前記刃先付勢用のスプリングを介装してなることを特徴とする。
【００１５】
［作用］
前記構成によれば、適正に作動するプレドクタにより、洗浄ユニットによる拭き取り作用が軽減され、寿命が延びる。
また、上，下両レバー間にスプリングを介装するという簡単な構造でドクタコントロールが行われる。
【００１６】
【発明の実施の形態】
本発明に係る印刷機のワイピング装置を実施例により詳細に説明する。
【００１７】
［実施例］
図１は凹版印刷機のワイピング装置の側面図、図２は同じくワイピング装置の背面図、図３は同じくワイピング装置の要部断面図、図４はレバー機構の構造説明図である。
【００１８】
図１に示すように、装置本体５０が一体形成された前記液槽内には洗浄液５５が蓄えられており、ワイピングローラ５２は、この洗浄液５５に下半部を浸漬して液槽に回動自在に軸支されていると共に、凹版胴５３に装着された凹版５４に周面を対接させてこれと逆方向に回転している。
【００１９】
前記ワイピングローラ５２は、液槽( 装置本体５０) の左，右両側壁外面にそれぞれ付設した油圧シリンダ６０の伸縮により偏心軸受６１を介して凹版胴５３に対し着脱可能になっていると共に、前記油圧シリンダ６０に隣接して設けた調整モータ６２の回転によりギヤ機構６３やねじ機構６４等を介して油圧シリンダ６０自体が僅かに進退することで、同じく偏心軸受６１を介して凹版胴５３に対するニップ圧が微調整可能となっている。
【００２０】
そして、液槽内に設けた洗浄ユニット５６の前記ワイピングローラ５２の回転方向上流側（図中右側）に位置して、ワイピングローラ５２に転移したインキを洗浄ユニット５６による洗浄作業に先立ってドライの状態で掻き取るプレドクタ６５が、また回転方向下流側（図中左側）に位置して、液槽外への洗浄液の持ち回りを防止するドクタ６６がそれぞれ配設される( 図３参照) 。
【００２１】
前記プレドクタ６５は、液槽の左，右両側壁外面にそれぞれ付設した油圧シリンダ６７の伸縮によりレバー機構６８を介してワイピングローラ５２に対し着脱可能になっていると共に、前記油圧シリンダ６７に隣接して設けた調整モータ６９の回転によりギヤ機構７０，ターンバックル７１及び前記レバー機構６８等を介してワイピングローラ５２に対するその刃先の調整が可能となっている。
【００２２】
詳述すると、前記レバー機構６８は、液槽の左，右両側壁外面に中間部が枢支されて下端部に前記油圧シリンダ６７のピストンロッド６７ａ先端にターンバックル７１を介して連結した作動ロッド６７ｂが連結する下レバー６８ａと、該下レバー６８ａの上端部に中間部がピン７２により枢支されて上端部に前記偏心軸受６１に固設した板カム７３に係合してワイピングローラ５２のニップ圧調整時にプレドクタ６５を追従させるためのカムフォロア７４が取り付けられる上レバー６８ｂとを有すると共に、左，右両上レバー６８ｂの上端間にバー７５が架設され、このバー７５上に、先端にブレード刃７６を挟持した把手７７付きの長尺板状のブレード７８が取り付けられて前記プレドクタ６５が構成されている( 図２参照) 。
【００２３】
そして、上レバー６８ｂと下レバー６８ａにそれぞれ付設した支持ブラケット８０，８０間に、上レバー６８ｂを常時ピン７２を中心に反時計方向に回転するように付勢して、前記ブレード刃７６をワイピングローラ５２に一定圧で押し当てるための圧縮コイルばね８１が担持されている。
【００２４】
従って、前記油圧シリンダ６７によるピストンロッド６７ａ及び作動ロッド６７ｂの伸縮で前記両レバー６８ａ，６８ｂが、下レバー６８ａの枢支点Ｏを中心に揺動してプレドクタ６５が着脱すると共に、前記調整モータ６９によるピストンロッド６７ａの回転及びターンバックル７１を介しての作動ロッド６７ｂの僅かな伸縮で同じく前記両レバー６８ａ，６８ｂが揺動してプレドクタ６５の刃先が微調整されることになる。この時の調整範囲は、前記枢支点Ｏ部に組み付けたポテンショメータ８２により下レバー６８ｂの揺動角で検出されるようになっている。
【００２５】
また、前記液槽の後壁外面には、前記プレドクタ６５で掻き取ったインキを回収するためのインキ缶８３がクランプ８４を介して着脱自在に取り付けられる。
【００２６】
尚、図１中８７は作動ロッド６７ｂを回動不能で且つ軸方向移動可能に案内するガイドローラで、図４中８５は上レバー６８ｂの長孔８６と係合して同上レバー６８ｂの揺動端を規制してプレドクタ６５を保護するためのストッパピンである。
【００２７】
以上のように構成されたワイピング装置において、凹版胴５３上の凹版５４には、インキ装置によって凹溝状の絵柄部分とそれ以外の部分とにインキが転移され、絵柄部分以外のインキは、凹版胴５３と反対方向へ回転するワイピングローラ５２で拭き取られてその周面に付着する。
【００２８】
ワイピングによりワイピングローラ５２の周面に付着したインキは、先ず、プレドクタ６５である程度の量が掻き取られてインキ缶８３内に回収される。その後、ワイピングローラ５２の下半部は洗浄液５５内に浸漬されており、その浸漬部周面には、洗浄ユニット５６が対接しているので、ワイピングローラ５２の周面に付着したインキは、洗浄ユニット５６のワイパパッド５７に滲透した洗浄液５５の溶解作用とワイパパッド５７の押圧作用とで取り除かれる。
【００２９】
インキが洗い落とされたワイピングローラ５２は、洗浄液５５のみを周面に付着させて持ち回るが、そこにはドクタ６６が設けられているので、持ち回りされた洗浄液５５はこれらで掻き落とされ、ワイピングローラ５２はインキの拭き取り動作を続ける。
【００３０】
このようにして本実施例では、洗浄ユニット５６による洗浄作業に先立ってプレドクタ６５がインキの大半をドライの状態で取り除くので、洗浄ユニット５６による拭き取り作用が軽減され、洗浄ユニット５６の寿命が延びる。換言すれば、洗浄ユニット５６が長い間良好に作用するので、安定した品質が得られると共に、洗浄ユニット５６を交換するために機械を停止する頻度が少なくて済み、生産性が向上する。
【００３１】
加えて、洗浄液５５中に取り込まれるインキの量が少ないので、それだけ溶剤( 洗浄液５５) の寿命も延び、後処理の溶剤廃液処理回数が減少する。
【００３２】
また、前記プレドクタ６５は、油圧シリンダ６７の伸縮によりレバー機構６８を介してワイピングローラ５２に対し容易に着脱することができると共に、調整モータ６９の回転によりギヤ機構７０，ターンバックル７１及び前記レバー機構６８等を介してワイピングローラ５２に対するブレード刃７６の微調整がポテンショメータ８２を用いて印刷中に正確に行える。
【００３３】
また、調整モータ６２の回転によるワイピングローラ５２のニップ圧調整時には、カム板７３とカムフォロア７４の係合によりプレドクタ６５が印刷中に円滑に追従することができる。
【００３４】
また、上レバー６８ｂと下レバー６８ａにそれぞれ付設した支持ブラケット８０，８０間に担持された圧縮コイルばね８１で、常時、前記ブレード刃７６をワイピングローラ５２に一定圧で押し当てているため、特別なドクタコントロールを必要とせず、コスト及びスペース的に有効である。
【００３５】
また、ワイピングローラの周面に仮に傷等が発生したとしても、ブレード刃７６は圧縮コイルばね８１により破損させてしまうような力が吸収されるので、ブレード刃７６を破損させることはない。
【００３６】
尚、上記実施例における全ての油圧シリンダに代えてエアシリンダ等の他の流体圧アクチュエータを用いてもよい。
また、本発明に係るワイピング装置は、凹版印刷機に限定されず、凹版印刷部を有する各種印刷機等にも適用できる。
【００３７】
【発明の効果】
以上説明したように本発明によれば、液槽内の洗浄液に下半部を浸漬されて回転するワイピングローラの周面に洗浄ユニットを液中で対接させて凹版胴からワイピングローラに転移したインキを拭き取る印刷機のワイピング装置において、前記ワイピングローラの洗浄液よりも上流側でインキを凹版胴から拭き取った直後の位置で、前記インキを掻き取るプレドクタをレバー機構を介してワイピングローラに対し着脱自在でかつ刃先が常に一定圧となるように付勢して設けると共に、前記レバー機構は、液槽に枢支されて駆動用流体圧アクチュエータの作動ロッドが連結する下レバーと該下レバーに枢支されて前記プレドクタが取り付けられる上レバーとを有し、これら両レバー間に前記刃先付勢用のスプリングを介装してなるように構成したので、適正に作動するプレドクタにより、洗浄ユニットによる拭き取り作用が軽減されて寿命が延び、安定した品質が得られると共に生産性が向上する。また、上，下両レバー間にスプリングを介装するという簡単な構造でドクタコントロールが行われ、コスト及びスペース的に有効である。
【図面の簡単な説明】
【図１】本発明の一実施例を示す凹版印刷機のワイピング装置部の側面図である。
【図２】同じくワイピング装置の背面図である。
【図３】同じくワイピング装置の要部断面図である。
【図４】同じくレバー機構の構造説明図である。
【図５】従来の凹版印刷機のワイピング装置部の断面図である。
【符号の説明】
５０  装置本体
５２  ワイピングローラ
５３  凹版胴
５５  洗浄液
５６  洗浄ユニット
６０  油圧シリンダ
６２  調整モータ
６５  プレドクタ
６６  ドクタ
６７  油圧シリンダ
６７ａ  ピストンロッド
６７ｂ  作動ロッド
６８  レバー機構
６８ａ  下レバー
６８ｂ  上レバー
６９  調整モータ
７０  ギヤ機構
７１  ターンバックル
７２  ピン
７３  板カム
７４  カムフォロア
８１  圧縮コイルばね
８３  インキ缶
【図１】
0003703057.tif 000002
【図２】
0003703057.tif 000003
【図３】
0003703057.tif 000004
【図４】
0003703057.tif 000005
【図５】
0003703057.tif 000006